(57)【要約】【課題】本発明は、省スペースで電圧切り換えが容易であるプラグイン式配線用遮断器を提供することを目的としている。【解決手段】本発明に係るプラグイン式配線用遮断器の構造は、遮断器短手側面に端子が設けられ、端子は側面の略中央部に固定端子３ａを、固定端子３ａの上方に可動端子３ｂを設けると共に、可動端子は回転軸８を中心に回動可能であり、固定端子３ｂの回転軸８を中心として反対側と、その位置から９０度回転した位置とで固定可能であることを特徴とする。【選択図】図２
2005347124.tif 000002
【特許請求の範囲】
【請求項１】
分電盤に搭載され、端子部を銅バー等で接続されるプラグイン式配線用遮断器において、該遮断器短手側面に端子が設けられ、該端子は前記側面の略中央部に固定端子を、該固定端子の上方に可動端子を設けると共に、該可動端子は回転軸を中心に回動可能であり、前記固定端子の回転軸を中心として反対側と、その位置から９０度回転した位置とで固定可能であることを特徴とするプラグイン式配線用遮断器。
【発明の詳細な説明】
【技術分野】
【０００１】
本発明は、分電盤に搭載され、端子部を銅バー等で接続されるプラグイン式配線用遮断器に関するものである。
【背景技術】
【０００２】
従来技術におけるプラグイン式配線用遮断器では、可動端子は上下にスライド移動可能に設けられ、可動端子を下側に押し込んで位置を変え、電圧切り換えをするものであった。
【０００３】
しかしながら、上記プラグイン式配線用遮断器では、省スペースではあるが、２００Ｖに設定した場合の絶縁距離が１００Ｖに設定した場合の絶縁距離に比べて小さくなり、十分な絶縁距離がとれているとは言え、可能な限り端子を離しておきたいという要望があった。
【０００４】
そこで、プラグイン式配線用遮断器の可動端子を１８０度回転させて２００Ｖと１００Ｖとの設定を変更することができる。
【特許文献１】特開２０００−２２２９９７号公報
【特許文献２】特開２００２−１９９５１４号公報
【発明の開示】
【発明が解決しようとする課題】
【０００５】
特開２００２−１９９５１４号では、可動端子を１８０度回転させて電圧の変更を行うため、１００Ｖの場合に比べて２００Ｖの場合には絶縁距離が大きく取れるが、端子部に可動端子を回転させるだけのスペースが必要となり、端子部が大きくなるという欠点がある。
【課題を解決するための手段】
【０００６】
本発明は、省スペースで電圧切り換えが容易であるプラグイン式配線用遮断器を提供することを目的とし、その構造は、遮断器短手側面に端子が設けられ、該端子は前記側面の略中央部に固定端子を、該固定端子の上方に可動端子を設けると共に、該可動端子は回転軸を中心に回動可能であり、前記固定端子の回転軸を中心として反対側と、その位置から９０度回転した位置とで固定可能であることを特徴とする。
【発明の効果】
【０００７】
本発明のプラグイン式配線用遮断器は、可動端子を９０度回転させることで電圧の切り換えができ、容易であると共に、端子部の配置が省スペースでありながら、十分な絶縁距離も確保できるという利点がある。
【発明を実施するための最良の形態】
【０００８】
電圧の切り換え作業が容易であり、端子を省スペースに配置するという目的を、最小の部品点数で、絶縁距離を確保したまま実現した。
【実施例１】
【０００９】
本発明に係るプラグインイン式配線用遮断器の実施例を図１〜図２の添付図面に基づいて説明する。
【００１０】
単相３線式の分電盤においては、主幹銅バーが３本敷設され、３本の主幹銅バーのうちのいずれか２本を選択することのより、２００Ｖもしくは１００Ｖの電圧の切り換えを行う。
【００１１】
プラグイン式配線用遮断器１の短手側面の端子部２に端子３を設ける。端子３は、主幹銅バー４が挿入可能である挿入孔５を設け、挿入孔５奥には受け刃６を備える。端子３は、端子部２の略中央部に固定される固定端子３ａと、回動動作により位置が変更可能である可動端子３ｂとを設ける。端子部の前面カバー７は取り外し可能であり、可動端子３ｂを回転させるときには取り外す。可動端子３ｂは、回転軸を中心に上方から側方へ移動できる。
【００１２】
３本の主幹銅バー４のうち２本は水平に、１本は垂直に敷設する。固定端子３ａには水平に配置された主幹銅バー４ａを挿入する。固定端子３ａに挿入された主幹銅バー４ａとは別の主幹銅バー４ｂに可動端子３ｂを接続するために、可動端子３ｂは、回転軸８を中心に固定端子３ａと反対側の位置に固定する。電圧が高くなるほど、絶縁距離を多く取った方がより安全であるため、遠くの端子を接続したとき、例えば、固定端子３ａに下部銅バー４ａを、可動端子３ｂは上方に固定し上部銅バー４ｂを接続すると２００Ｖとなる。
【００１３】
可動端子３ｂを下部銅バー４ｂに対向させてプラグイン式配線用遮断器１の下側に固定した状態から、可動端子３ｂは固定位置を変更することができる。前面カバー７を外し、上部に水平に配置されていた可動端子３ｂを９０度回転させ垂直に配置された銅バー３ｃに対向させる。固定端子３ａに下部銅バー４ａを、可動端子３ｂは中間位置に固定し中間銅バー４ｃを接続すると１００Ｖとなる。
【００１４】
また、本発明に係るプラグイン式配線用遮断器は、上記配置に限定されるものではなく、本発明の趣旨を逸脱しない範囲において適宜変更可能である。
【実施例２】
【００１５】
図３に示すように、特に端子部の省スペースを図りたい場合には、固定端子９ａに下部銅バー１０ａを、可動端子９ｂは中間位置に固定し中間銅バー１０ｃを接続すると２００Ｖに、また、固定端子９ａに下部銅バー１０ａを、可動端子９ｂは上方に固定し上部銅バー１０ｂを接続すると１００Ｖになるようにしてもよい。
【実施例３】
【００１６】
例えば、図４に示すように、主幹銅バー１１のうち下部銅バー１１ｂと中間銅バー１１ｃと垂直に、上部銅バー１１ａは水平に配置し、それに対向させて端子１２を配置する。固定端子１２ａを垂直に、可動端子１２ｂは上部に配置するときには水平に、電圧切り換えにより９０度回転させたとき、垂直になるように配置する。
【実施例４】
【００１７】
また、図５に示すように、主幹銅バー１３のうち下部銅バー１３ａと上部銅バー１３ｂとを垂直に、中間銅バー１３ｃ配置し、それに対向させて端子１４を配置する。固定端子１４ａは下部に垂直に、可動端子１４ｂは上部に固定される場合には垂直に、電圧切り換えにより９０度回転させたとき、水平になるように配置する。
【実施例５】
【００１８】
また、図６に示すように、主幹銅バー１５のうち下部銅バー１５ａと上部銅バー１５ｂとを水平に配置し、中間銅バー１５ｃは垂直に配置する。それに対向させて端子１６を配置する。固定端子１６ａを上部に水平に配置し、上部に可動端子１６ｂを水平に配置する。可動端子１６ｂを電圧切り換えにより９０度回転させたとき、垂直になるように配置する。
【産業上の利用可能性】
【００１９】
端子部を可動にすることによって、容易に電圧の切り換えが行え、しかも、回転角度も９０度で良いので、省スペースを図ることができる。
【図面の簡単な説明】
【００２０】
【図１】本発明に係るプラグイン式配線用遮断器を示すの上面図である。
【図２】本発明に係るプラグイン式配線用遮断器でを示す説明図である。（実施例１）
【図３】本発明に係るプラグイン式配線用遮断器でを示す説明図である。（実施例２）
【図４】本発明に係るプラグイン式配線用遮断器でを示す説明図である。（実施例３）
【図５】本発明に係るプラグイン式配線用遮断器でを示す説明図である。（実施例４）
【図６】本発明に係るプラグイン式配線用遮断器でを示す説明図である。（実施例５）
【符号の説明】
【００２１】
１      プラグイン式配線用遮断器
２      端子部
３      端子
３ａ    固定端子
３ｂ    可動端子
４      主幹銅バー
４ａ    下部銅バー
４ｂ    上部銅バー
４ｃ    中間銅バー
５      挿入孔
６      受け刃
７      前面カバー
８      回転軸
９      端子
９ａ    固定端子
９ｂ    可動端子
１０    主幹銅バー
１０ａ  下部銅バー
１０ｂ  上部銅バー
１０ｃ  中間銅バー
１１    主幹銅バー
１１ａ  下部銅バー
１１ｂ  上部銅バー
１１ｃ  中間銅バー
１２    端子
１２ａ  固定端子
１２ｂ  可動端子
１３    主幹銅バー
１３ａ  下部銅バー
１３ｂ  上部銅バー
１３ｃ  中間銅バー
１４    端子
１４ａ  固定端子
１４ｂ  可動端子
１５    主幹銅バー
１５ａ  下部銅バー
１５ｂ  上部銅バー
１５ｃ  中間銅バー
１６    端子
１６ａ  固定端子
１６ｂ  可動端子
【図１】
2005347124.tif 000003
【図２】
2005347124.tif 000004
【図３】
2005347124.tif 000005
【図４】
2005347124.tif 000006
【図５】
2005347124.tif 000007
【図６】
2005347124.tif 000008